(57)【要約】      （修正有）【課題】持ち運びに便利であり、かつその場で簡単に組立、分解をすることができ、しかも安全であって使いやすい組立式ロッカーを提供する。【解決手段】枠体３に装着されるラッチ１４付き扉４と、背面板７と、左右側面板６，７及び下面板８を有するロッカーユニット２を複数備えている。このロッカーユニット２を折り畳み可能に形成すると共にロッカーユニット２に上面板を着脱可能に形成し、上記扉４にラッチ１４を施錠・解錠する機械式カード錠１５を設けている。上記ロッカーユニット２を掛け部やクリップによって上下方向及び左右方向に着脱可能に連結しロッカーを形成している。【選択図】図３
0003146199.tif 000002
【実用新案登録請求の範囲】
【請求項１】
枠体に装着されるラッチ付き扉と、背面板と、左右側面板及び下面板を有するロッカーユニットを複数備え、上記左右側面板と下面板を内側に折り込んでロッカーユニットを折り畳み可能に形成すると共に、上記ロッカーユニットに上面板を着脱可能に形成し、上記扉にコード孔を有するキーカードによってラッチを施錠・解錠する機械式カード錠を設け、上記ロッカーユニットを連結手段によって上下方向及び左右方向に着脱可能に連結したことを特徴とする組立式ロッカー。
【請求項２】
下部に台座を設けた請求項１に記載の組立式ロッカー。
【請求項３】
連結手段として、ロッカーユニットの連接部に、スリット部と掛け部による離脱可能な係合手段と、弾力的変形により保持されるクリップを取り付け孔に着脱可能に装着する結合手段を設けた請求項１または２に記載の組立式ロッカー。
【請求項４】
ロッカーユニットを折り畳んだ状態で持ち運び得るよう枠体と背面板の上部に形成した係合部に係合する提げ手を設けた請求項１ないし３のいずれかに記載の組立式ロッカー。
【請求項５】
ロッカーユニットを連結する際に、提げ手を連結手段の部材として用いるようにした請求項１ないし４のいずれかに記載の組立式ロッカー。
【請求項６】
ラッチを作動させるリンダー錠を機械式カード錠と別個に扉に設けた請求項１ないし５のいずれかに記載の組立式ロッカー。
【請求項７】
扉の裏面に設けた機械式カード錠の支持体にラッチを施錠位置と解錠位置に移動可能に装着し、上記機械式カード錠の作動体を揺動カムを介してラッチに連結し、この作動体の移動によってラッチを施錠・解錠するようにした請求項１ないし６のいずれかに記載の組立式ロッカー。
【請求項８】
扉に透視窓を設けた請求項１ないし７のいずれかに記載の組立式ロッカー。
【考案の詳細な説明】
【技術分野】
【０００１】
本考案は、折り畳み可能であると共に組立、分解が可能な組立式ロッカーに関する。
【背景技術】
【０００２】
一般に駅構内やデパートあるいはストア等にはコインロッカーが設置されている。このコインロッカーは、複数のロッカーが結合されていて一体になっているものであるので、例えばイベント会場において利用しようとしても持ち運ぶことが容易ではなく、会場での設置には多くの労力と時間を要すと共に、費用も嵩み不経済である。
【０００３】
また、コインロッカー用のキーを紛失した場合には、直ぐにはロッカーを開閉することができず、管理人に連絡し、扉を開けてもらうために多くの時間を要している。
【０００４】
更に、ロッカーの前面から錠部分や摘み等の取っ手が突出していることがあり、そのためにこれらに手や持ち物等が触れたりして手等に傷を負ったり物を破損したりすることがあった。
【考案の開示】
【考案が解決しようとする課題】
【０００５】
本考案は、これらの問題点を解消するものであって、持ち運びに便利であり、かつその場で簡単に組立、分解をすることができ、また安全であって使いやすい組立式ロッカーを提供しようとするものである。
【課題を解決するための手段】
【０００６】
本考案は、枠体に装着されるラッチ付き扉と、背面板と、左右側面板及び下面板を有するロッカーユニットを複数備え、このロッカーユニットを折り畳み可能に形成すると共にロッカーユニットに上面板を着脱可能に形成し、上記扉にラッチを施錠・解錠する機械式カード錠を設け、上記ロッカーユニットを連結手段によって上下方向及び左右方向に着脱可能に連結するようにしたものである。
【０００７】
また、本考案は、上記扉に設けた機械式カード錠の支持体にラッチを施錠位置と解錠位置に移動可能に装着し、この機械式カード錠の作動体を揺動カムを介してラッチに連結し、その作動体の移動によってラッチを施錠、解錠するようにしたものであり、また、その際に、ロッカーユニットの連接部に設けたスリット部と掛け部による離脱可能な係合手段と弾力的変形により保持されるクリップによる連結手段によってロッカーユニットを連結するようにしたものである。
【０００８】
更に、本考案は、機械式カード錠とは別途にシリンダー錠を設け、機械式カード錠に不備が生じた際等にシリンダー錠を使用してラッチを施錠、解錠するようにしたものである。
【０００９】
また、本考案は、扉に透視窓を設け、ロッカーユニットの内部が見えるようにしたものである。
【００１０】
更に、本考案は、ロッカーユニットを折り畳み状態で持ち運びできるように提げ手を設けるようにしたり、また、その提げ手をロッカーユニットの離脱係合手段における掛け部として用いるようにしたものである。
【考案の効果】
【００１１】
本考案は、上記のように構成され、持ち運びが容易であり、また現場において簡便に効率よく組立、分解することができ、取扱い易く、使用に便利である。更に、機械式カード錠とシリンダー錠を設けているので、機械式カード錠のキーカードを紛失したり、ロッカーに物を置き忘れたりした際等にシリンダー錠によってロッカーを開閉することができる。またこれらの錠はロッカーの前面から突出していないので、この部分が物に当たることがなく安全である。更に、透視窓より内部を見ることができるので収容物を直ぐに確認することができる。
【考案を実施するための最良の形態】
【００１２】
ロッカー１は、図１に示すように、複数のロッカーユニット２を備え、このロッカーユニット２を後記する連結手段で上下方向及び左右方向に連結することによって組み立てられている。なお、この実施例では、下部に台座５３が設けられている。
【００１３】
ロッカーユニット２は、図２及び図３に示すように、枠体３に枢着される扉４と、左側板５と、右側板６と、背面板７及び下面板８を有し、その下面板８をヒンジ９を介して内側に折り込み可能にすると共に、左右側面板５，６をそれぞれヒンジ１０，１１を介して内側に二つに折り可能にして折り畳み可能に形成されている。このロッカーユニット２の上部には上面板１２が着脱可能に設けられている。なお、この例では、上記下面板８及び上面板１２は一枚の状態になっているが、二つ折り状態等に形成するようにしてもよい。
【００１４】
上記扉４の裏面には、図３に示すように、支持体１３が止めネジ等によって固定されており、この支持体１３に、施錠位置及び解錠位置に移動可能に支持されたラッチ１４と、このラッチ１４を作動する機械式カード錠１５が装着されている。
【００１５】
上記機械式カード錠１５は、特許第３８０９６３６号公報にも記載されているように公知の錠であり、ケース１６と、ケース内に摺動可能に支持される作動体１７と、コード孔を有するキーカード１８及びコードカード１９と、コード孔に係合するボールと、作動体１７の移動を規制するピンと、ピンを挿入する長孔と、ピンをボール側に付勢するバネを備えており、キーカード１８とコードカード１９のコード孔の位置関係により、キーカード１８を差し込んだ際に作動体１７が開錠位置に移動して開錠状態とすると共に、キーカード１８を引き抜いた際に作動体１７を施錠位置に移動して施錠状態となるようにしたものである。
【００１６】
上記機械式カード錠１５を作動させることによって、ラッチを施錠位置及び解錠位置に移動させる場合について、図７ないし図１０を用いて説明する。
機械式カード錠１５の作動体１７に固定した作動板３２は、上記支持体１３のピン２０にカム２１の孔５５を係合させて揺動可能に支持したカム２１を介し、ラッチ１４に連結されている。この連結方法は、図示のものでは、作動体１７に固定した作動板３２の突部２２をカム２１の長孔２３に遊嵌させると共に、カム２１の突部２４がラッチ１４の長溝２５に嵌合させているが、これらの突部２２と長孔２３の位置関係及び突部２４と長溝２５の位置関係を逆にしたり、これに代えて凹凸係合としたり、その他の連結方法を用いることができる。
上記ラッチ１４は、これに形成した長孔２６が上記支持体１３の突起２７に係合して施錠位置及び解錠位置に移動可能になっていると共に、支持体１３のバネ支持部２８とラッチ１４の掛け孔２９にそれぞれ支持されたバネ３０によって施錠位置方向に付勢されている。
【００１７】
上記扉４が閉じた状態で扉４の挿入口３１よりキーカード１８を挿入すると、上記機械式カード錠１５の作動体１７に固定した作動板３２の移動に伴い、これに連結するカム２１が揺動してラッチ１４が解錠位置に移動して解錠状態を形成する。
ここで、上記キーカード１８を引き抜くと、作動体１７が元の位置に移動し、これに伴い上記カム２１とラッチ１４が連動し、ラッチ１４が施錠位置に移動して施錠となる。その際、ラッチ１４は枠体３に設けた受け具３３に係合する。
【００１８】
上記扉４には、更にシリンダー錠３４が設けられている。このシリンダー錠３４の駆動部３５には、作動部材３６が設けられており、この作動部材３６が上記ラッチ１４に設けたピン３７に係合している。従って、シリンダー錠３４の駆動部３５をキーによって回転させると、上記作動部材３６が回転し、これに係合するピン３７を介してラッチ１４を解錠位置へ移動させる。これによって、上記機械式カード錠１５に不備が生じ操作できない場合には、このシリンダー錠３４を用いてラッチ１４を施錠、解錠することができる。なお、上記機械式カード錠１５及びシリンダー錠３４には、カバー５４が設けられている。
【００１９】
次に、上記ロッカーユニット２を組み立ててロッカーを形成する場合について説明する。
上記ロッカーユニット２の上面には、略Ｌ字状の掛け部３８が設けられていると共に、下面にはこの掛け部３８が係合可能なスリット３９が設けられている。従って、上下方向にロッカーユニット２を組み立てる場合は、上記掛け部３８とスリット３９を係合させて連結する。この場合、上記ロッカーユニット２の連接部に取り付け孔４０を形成し、これに弾力的変形により保持可能なクリップ４１を挿入して固定させている。このクリップ４１は、図１２に示すように、開拡可能な割溝４２を有する外筒部材４３と、この外筒部材４３内に案内されその移動によって割溝４２を開拡させる内筒部材４４を備えている。
【００２０】
実施例では、上記ロッカー１の下部に台座５３が設けられており、この台座５３の上面に設けた掛け部３８がロッカーユニット２の下面に設けたスリット３９に係合するようになっている。この台座５３は省略してもよく、また、上記掛け部３８をロッカーユニット２の下面に設け、上記スリット３をロッカーユニット２の上面に設けるようにしてもよい。なお、上記掛け部３８の形状は、略Ｔ字状その他の形状のものとすることができる。
【００２１】
上記ロッカーユニット２を左右方向に連結する場合には、その連接部に形成した略Ｔ字状の溝４５に略Ｔ字状の止め具を挿入すると共に、連接部に形成した取り付け穴４０にクリップ４１を挿入して連結している。この場合、図１３に示すように、折り畳んだロッカーユニット２を持ち運ぶ際に用いる提げ手４８を用意し、この提げ手４８上記止め具に代えて用いることができる（図３参照）。
【００２２】
なお、上記ロッカーユニット２の連結方法は、上記クリップ４１のみを用いたり、ビスやボルト・ナット等の連結手段を用いたりすることができる。
【００２３】
上記ロッカーユニット２を重ねた際に中間に位置している下面板８は、その下側にあるロッカーユニット２の上面板１２の役目を兼ねている。また、組み立て後のロッカー１の最上部には上面板１２が設けられる。
【００２４】
上記ロッカーユニット２の扉４には、透明のプラスチック板やガラス板等で形成した透視窓４９が設けられており、この窓よりロッカーユニット２内の収容物を確認することができる。
【００２５】
上記ロッカーユニット２は、上記提げ手４８を用いて持ち運ぶことができる。その際、図６Ｂに示すように、提げ手４８の略Ｔ字状の掛け部５０を扉４の上面に形成したスリット５１に挿入すると共に、提げ手４８の他方の掛け部５２を背面板７に掛けるようにする。
【図面の簡単な説明】
【００２６】
【図１】本考案の実施例を示す正面図である。
【図２】ロッカーユニット、台座及び上面板を示す斜面図である。
【図３】台座に載置したロッカーユニットの斜面図である。
【図４】ロッカーユニットの平面図である。
【図５】ロッカーユニットの底面図である。
【図６】ロッカーユニットを折り畳む状態を示す平面図であり、Ａは折り畳む途中の状態を示し、Ｂは折り畳んだ状態を示す。
【図７】機械式カード錠によってラッチを作動させる状態を示す平面図であり、Ａはラッチを施錠位置に移動させた状態を示し、Ｂはラッチを解錠位置に移動させた状態を示す。
【図８】ラッチを示し、Ａは拡大平面図であり、ＢはＡの右側面図である。
【図９】作動板を示し、Ａは拡大平面図であり、ＢはＡの右側面図である。
【図１０】カムを示し、Ａは拡大平面図であり、ＢはＡの右側面図である。
【図１１】シリンダー錠によってラッチを作動させる状態を示す一部拡大正面図である。
【図１２】クリップの拡大平面図である。
【図１３】提げ手の拡大斜面図である。
【符号の説明】
【００２７】
２  ロッカーユニット    ３  枠体    ４  扉    ５  左側面板    ６  右側面板    ７  背面板    ８  下板作    １２  上面板    １４  ラッチ    １５  機械式カード錠    １７  作動体    １８  キーカード    ２１  カム    ３２  作動板    ３４  シリンダー錠    ３６  作動部材    ４１  クリップ    ４８  提げ手    ４９  透視窓    ５０  掛け部    ５１  スリット    ５３  台座
【図１】
0003146199.tif 000003
【図２】
0003146199.tif 000004
【図３】
0003146199.tif 000005
【図４】
0003146199.tif 000006
【図５】
0003146199.tif 000007
【図６】
0003146199.tif 000008
【図７】
0003146199.tif 000009
【図８】
0003146199.tif 000010
【図９】
0003146199.tif 000011
【図１０】
0003146199.tif 000012
【図１１】
0003146199.tif 000013
【図１２】
0003146199.tif 000014
【図１３】
0003146199.tif 000015